(57)【要約】【課題】除塵機で水中又は水面から掻き上げた塵芥や異物に関して、木の小枝等については破砕や押し潰しを行い、異物については選別、除去して破砕、押し潰しを回避する。【解決手段】駆動手段により回転可能なローラー１０と、このローラー１０に対しガラス瓶等の異物Ｄ２は通過しない寸法Ｌ１の間隔を開けてローラー１０の下方に配置されるローラー１１とから成る塵芥の破砕・押し潰し機構８と、一端が除塵機２のベルトコンベヤー５に連接し、他端がローラー１０、ローラー１１間のスペースＳの入口を臨む位置に配置されると共に塵芥Ｄ１をスペースＳの入口まで案内する投入シュート９とから構成され、投入シュート９は横幅方向に沿って勾配がつけられたことで、異物Ｄ２をスペースＳ内に入らせずに弾き、空き缶等の異物Ｄ３を投入シュート９の側方から落下させ、木の枝等の塵芥Ｄ１のみ破砕、押し潰すようにした。【選択図】図３
2009095757.tif 000002
【特許請求の範囲】
【請求項１】
駆動手段により回転可能な第１のローラーと、この第１のローラーに対し所定以上の大きさの物は通過しない間隔を開けて当該第１のローラーの下方に配置される第２のローラーとを備えた塵芥の破砕・押し潰し機構と、
一端が塵芥を搬送してくる他の装置の運搬手段に近接し、他端が前記第１のローラーと第２のローラーとの間の入口を臨む位置に配置されることにより、前記他の装置の運搬手段で運搬されてきた塵芥を受け取って、前記第１のローラーと前記第２のローラーとの間の入口まで案内する投入シュートとから構成されていると共に、
前記投入シュートは、前記他の装置側から前記塵芥の破砕・押し潰し手段側までの範囲内において、所定の異物を選別、除去することが可能であることを特徴とする塵芥処理装置。
【請求項２】
前記投入シュートは、前記他の装置から前記塵芥の破砕・押し潰し機構に沿って延びる両側の縁辺のうち一方の縁辺の方が他方の縁辺よりも下方となるように勾配がつけられていることを特徴とする請求項１に記載の塵芥処理装置。  
【請求項３】
前記第１のローラーと前記他の装置の運搬手段を駆動させるための駆動手段とを連動手段で連結することにより、前記他の装置の運搬手段の駆動手段が前記第１のローラーの駆動手段となっていることを特徴とする請求項１又は請求項２に記載の塵芥処理装置。
【請求項４】
前記第１のローラーを第１の被支持構造体に吊り下げるための連結部材は、前記第１のローラーと前記第１の被支持構造体との間隔が可変するように伸縮自在な構成となっていることを特徴とする請求項１、請求項２又は請求項３に記載の塵芥処理装置。
【請求項５】
前記第２のローラーとこの第２のローラーが支持される第２の被支持構造体とを連結する支持部材は、前記第２の支持構造体から前記第２のローラーの頂部までの高さを調整することが可能な構成となっていることを特徴とする請求項１、請求項２又は請求項３に記載の塵芥処理装置。
【発明の詳細な説明】
【技術分野】
【０００１】
この発明は、除塵装置で水中又は水面から地上まで掻き上げた塵芥について、その袋詰が便宜なように処理するための装置に関するものである。
【背景技術】
【０００２】
この種の水力発電ダムの設備では、例えば特許文献１に示されるように、比較的粗目の一次スクリーンを取水口に配置し、この一次スクリーンよりも細目の二次スクリーンを当該一次スクリーンの配置位置よりも下流側となる導水路沈殿池等に配置することで、この二次スクリーンで相対的に小さな塵芥を受け止める処理システムが公知になっている。
【０００３】
そして、この二次スクリーンで受け止められた含水状態の相対的に小さな塵芥は、例えば特許文献２の図６に示されるように、除塵機で水中から掻き上げられた後、現地で一時的に保存して乾燥させてから、作業員の手作業にて袋詰めして一般ゴミの処理場まで運搬し、そこで焼却等の処理がなされることも公知である。
【特許文献１】特開平８−１９７０９８号公報
【特許文献２】特開２００６−１１２６７４号公報
【発明の開示】
【発明が解決しようとする課題】
【０００４】
しかしながら、掻き上げられた塵芥には、落ち葉のみならず、葦、木の小枝や、ガラス瓶及びその破片、空き缶等の異物も混入しているので、これらの葦、木の小枝が混入した状態の塵芥を袋詰めした場合には袋が破損してしまい、またガラス瓶、空き缶等の異物も一緒に袋詰めしたのでは、近年の一般ゴミの分別の要望にも沿わないという不具合を生ずる。一方、ガラス瓶等を破砕したのでは破片が周囲に散らばり、作業者の安全も損なうこととなる。
【０００５】
このため、これらの異物の破砕・押し潰しや、選別、除去が必要であるが、これまでは全て作業員の人手に頼っていたので、作業員が小枝等を小さく折ったり、固い枝については手揉みにて相対的に柔らかくしたり、更にはガラス瓶や空き缶等は選別、除去した後に袋に入れる等の作業が必要となり、袋詰作業が煩雑化、長時間化して、塵芥の処理作業全体の能率性が欠けていた。
【０００６】
そこで、本発明は、除塵機で水中又は水面から地上に掻き上げた塵芥について、その中の木の小枝等に対しては破砕や押し潰しを機械的に行い、これに適さない異物については予め選別、除去して破砕・押し潰されることを回避することにより、塵芥の袋詰め作業を簡易、迅速にし、且つ破砕、押し潰し作業の安全も図った塵芥処理装置を提供することを目的とする。
【課題を解決するための手段】
【０００７】
この発明に係る塵芥処理装置は、駆動手段により回転可能な第１のローラーと、この第１のローラーに対し所定以上の大きさの物は通過しない間隔を開けて当該第１のローラーの下方に配置される第２のローラーとを備えた塵芥の破砕・押し潰し機構と、一端が塵芥を搬送してくる他の装置の運搬手段に近接し、他端が前記第１のローラーと第２のローラーとの間の入口を臨む位置に配置されることにより、前記他の装置の運搬手段で運搬されてきた塵芥を受け取って、前記第１のローラーと前記第２のローラーとの間の入口まで案内する投入シュートとから構成されていると共に、前記投入シュートは、前記他の装置側から前記塵芥の破砕・押し潰し手段側までの範囲内において、所定の異物を選別、除去することが可能であることを特徴としている（請求項１）。ここで、所定以上の大きさの物とは例えばガラス瓶等、破砕すると周囲に危険が生ずる異物である。また、他の装置とは、例えばスクリーンにより水路の水中又は水面上で受け止めた塵芥を回収して地上まで搬送するための除塵機や除塵装置等と称される装置である。更に、他の装置の運搬手段とは例えばベルトコンベヤーである。更にまた、第１のローラーは塵芥を破砕、押し潰す主体として機能し、第２のローラーは塵芥を破砕、押し潰す際の受体として機能する。投入シュートは、例えば厚みの薄い板状のもので、除塵装置や除塵機等と称される他の装置側が塵芥の破砕・押し潰し機構側よりも高くなるように勾配が付けられている。前記投入シュートは、前記他の装置から前記塵芥の破砕・押し潰し機構に沿って延びる両側の縁辺のうち一方の縁辺の方が他方の縁辺よりも下方となるように勾配がつけられている（請求項２）。
【０００８】
これにより、塵芥のうち葦、木の枝等は、塵芥の破砕・押し潰し機構の第１のローラーと第２のローラーとの間を通過する際に小さく砕かれ又は押し潰される。また、ガラス瓶等は、塵芥の破砕・押し潰し機構の第１のローラーと第２のローラーとの間を通過しないので破砕されることがなく、事後でのガラス片の取り除き作業が不要となり、且つガラス瓶等が破砕される際に周囲に破片が飛んで作業者に怪我等を負わせることもない。さらに、空き缶等は、専ら塵芥の破砕・押し潰し機構に辿り着く前に投入シュートから落下するので、空き缶等が押し潰し機構の第１のローラーと第２のローラーとの間で押し潰された後、塵芥と混ざることもない。
【０００９】
そして、この発明に係る塵芥処理装置は、前記第１のローラーと前記他の装置の運搬手段を駆動させるための駆動手段とを連動手段で連結することにより、前記他の装置の運搬手段の駆動手段が前記第１のローラーの駆動手段となっている（請求項３）。これにより、他の装置の運搬手段により塵芥が搬送されてくる過程と第１のローラーと第２のローラーとによる塵芥を破砕・押し潰す過程とが常に連動することとなる。この連動手段は、例えば、２つのギアと両ギアに架けられた円環状のチェーンベルトとで構成されている。
【００１０】
更に、前記第１のローラーを第１の被支持構造体に吊り下げるための連結部材は、前記第１のローラーと前記第１の被支持構造体との間隔が可変するように伸縮自在な構成となっている（請求項４）。そして、前記第２のローラーとこの第２のローラーが支持される第２の被支持構造体とを連結する支持部材は、前記第２の支持構造体から前記第２のローラーの頂部までの高さを調整することが可能な構成となっている（請求項４）。これらにより、第１のローラーと第２のローラーとの間隔調整や、第１のローラーと第２のローラーとによる塵芥の破砕、押し潰しの効果が高められる。
【発明の効果】
【００１１】
以上のように、この発明によれば、塵芥のうち葦、木の枝等の、その性質上においては他の掻き上げられた塵芥と一緒に袋詰めすることができるが形態的には袋の破損の要因となってきたものは、塵芥の破砕・押し潰し機構の第１のローラーと第２のローラーとの間を通過する際に小さく砕かれ又は押し潰されるので、袋詰めする際に袋が破損する要因となるのを回避することができる。
【００１２】
また、この発明によれば、塵芥と一緒には袋詰めしないガラス瓶等は、塵芥の破砕・押し潰し機構の第１のローラーと第２のローラーとの間を通過せず、塵芥の破砕・押し潰し機構の第１のローラーの回転で弾かれるので、人の手によらずに選別、除去される。また、ガラス瓶等は破砕されることがないので、塵芥からガラス片の取り除き作業が不要となり、塵芥の袋詰め作業の簡易化、迅速化に資することができ、しかも、ガラス瓶等が破砕される際に万が一にでも周囲に破片が飛んで作業者に怪我等を負わせる事態も防止することができる。
【００１３】
さらに、この発明によれば、塵芥と一緒には袋詰めしない空き缶等は、専ら塵芥の破砕・押し潰し機構に辿り着く前に投入シュートから落下するので、人の手によらずに選別、除去される。これに伴い、空き缶等が押し潰し機構の第１のローラーと第２のローラーとの間で押し潰された後に塵芥と混ざることが防止され、この点でも塵芥の袋詰め作業の簡易化、迅速化に資することができる。
【００１４】
特に請求項３に記載の発明によれば、他の装置の運搬手段により塵芥が搬送されてくる過程と第１のローラーと第２のローラーとによる塵芥を破砕・押し潰す過程とを常時連動させることが可能となるので、第１のローラーが回転していないのに塵芥が他の装置から搬送されて来て、塵芥が破砕・押し潰し機構の手前側で溜まったり、塵芥が他の装置から搬送されて来ないのにも関わらず第１のローラーが無駄に回転したりすることが回避される。
【００１５】
特に請求項４及び請求項５に記載の発明によれば、第１のローラーと第２のローラーとの間隔を容易に調整することができ、破損を回避すべき異物を確実に第１のローラーと第２のローラーとの間を通過させずに弾くことができ、塵芥のうち葦、木の小枝等、袋を破損する要因となるものに対する第１のローラーと第２のローラーとによる破砕、押し潰しの効果も高められる。
【発明を実施するための最良の形態】
【００１６】
以下、この発明の実施形態の形態を図面に基づいて説明する。
【００１７】
図１から図３において、この発明に係る塵芥処理装置１の主構成とこの塵芥処理装置１が直結される除塵機２の構成の一部が示されている。尚、図３においては、塵芥Ｄ１の破砕・押し潰しや異物Ｄ２、Ｄ３の選別、除去についての説明の便宜上、ギア６、ギア１２及びチェーンベルト１３が省略された状態で図示してある。
【００１８】
除塵機２は、その全体構造については公知のものであるため省略しているが、例えば目の細かい二次スクリーンにより水路の水中又は水上で受け止めた塵芥を回収して地上まで搬送するための装置で、図２及び図３に示されるように、塵芥の搬送方向の終端側において、ローラー３とこのローラー３の回転により回転するベルト４とから成るベルトコンベヤー５を有している。これにより、図３に示されるように、ローラー３に対し図示しない駆動手段から動力を伝達して、当該ローラー３を回転させることにより、塵芥Ｄ１や異物Ｄ２、Ｄ３がベルトコンベヤー５のベルト４に載って塵芥処理装置１側まで運搬されて来るようになっている。また、この除塵機２は、後述する塵芥処理装置１のローラー１２をローラー３と連動させるためのギア６が当該ローラー３と一体的に回転するようにローラー３に連結されている。
【００１９】
塵芥処理装置１は、塵芥Ｄ１を破砕し又は押し潰すための塵芥の破砕・押し潰し機構８と、除塵機２のベルトコンベヤー５で搬送されてきた塵芥Ｄ１や異物Ｄ２、Ｄ３を受け取り、このうち塵芥Ｄ１を塵芥の破砕・押し潰し機構８まで移動させることを目的とした投入シュート９とで基本的に構成されている。
【００２０】
塵芥の破砕・押し潰し機構８は、塵芥の破砕・押し潰しの主体として機能する円柱状のローラー１０と、このローラー１０の鉛直方向の下方に位置して、塵芥の破砕・押し潰しの際の受体として機能する円柱状のローラー１１とを有して構成されている。
【００２１】
ローラー１０は、図１に示されるように、その長手方向が略水平方向に沿うように横倒しの状態で配置されており、かかる長手方向の両側において、当該ローラー１０と一体に回転するギア１２を有している。ギア１２は、この実施形態ではローラー１０の径方向に沿った寸法よりもその径方向に沿った寸法が大きくなる外形状となっている。ギア１２の歯１２Ａとギア６の歯６Ａとは、図２に示されるように、チェーンベルト１３の内側に設けられた歯１３Ａと適宜に噛み合うことができるような間隔、形状となっている。
【００２２】
これにより、内面から突出した複数の歯１３Ａを有する円環状のチェーンベルト１３をギア６とギア１２とにそれぞれの歯６Ａ、１２Ａと噛み合うようにして巻回した場合には、ローラー６が回転すると、ギア６がローラー３と一体的に回転し、このギア６の回転によりチェーンベルト１３も回って、ギア１２に回転が伝達されるので、ローラー１０はギア１２と一体的に回転することとなるから、ローラー３とローラー１０とは同じ駆動手段（図示せず）からの動力により連動して回転することとなる。
【００２３】
また、ローラー１０は、その軸方向の両側においてギア１２よりもその軸方向の外側に突出する一方でローラー１０とは一体的には回転しない突出部１４を有しており、弾力性を有するバネ１６が、その一端をこの突出部１４と連結させ、他端を図２及び図３に示されている被支持構造体１５に固定させることにより、ローラー１０は被支持構造体１５から吊り下げられたものとなっている。
【００２４】
ローラー１１は、図１に示されるように、ローラー１０と平行となるように、横倒しの状態で配置されており、その軸方向の両側において当該ローラー１１から突出した突出部１８を有している。この突出部１８は、例えばローラー１１と一体的に回転するようになっている。そして、一端に突出部１８の外形状と略同じ形状の通孔１９が形成された環状部２０と、この環状部２０から延びる棒状部２１とから成り、棒状部２１の先端部位に螺子溝２２が形成された支持部材２３を用い、支持部材２３の環状部２０の通孔１９を突出部１８に、当該突出部１８が回転可能なように外挿し、棒状部２１を台座２５の通孔２６に挿通させてナット２７で保持することにより、ローラー１１はこれらの支持部材２３、２３及び台座２５を脚として立ったものとなっている。
【００２５】
さらに、支持部材２３の棒状部２１を回転させることにより、棒状部２１が上下動するので、支持部材２３の突出部１８の中心から台座２５の上面までの高さＬ２を調整することができる。
【００２６】
投入シュート９は、図１に示されるように、例えば厚みの薄い平な板状のものであり、一端が除塵機２のベルトコンベヤー５に近接し、他端が塵芥の破砕・押し潰し機構８のローラー１０とローラー１１との間のスペースＳの入口を臨む位置に配置されるもので、除塵機２側から塵芥の破砕・押し潰し機構８側にかけて暫時低くなるように勾配がつけられており、塵芥等が滑り落ち、転がり落ちる等して、塵芥の破砕・押し潰し機構８側に自然に移動するようになっている。ローラー１０、１１間のスペースＳの寸法Ｌ１は、少なくともガラス瓶等の異物Ｄ２がこのスペースＳ内に侵入してこないような寸法が設定されている。
【００２７】
そして、投入シュート９は、異物の選別、除去機能を有するようにすべく、図１に示されるように水平方向に延びる線をＸと採った場合には、この実施形態では、投入シュート９は、例えば、図上の手前側から奥側に進むに従い、塵芥Ｄ１は落下しないような所定の角度で下方に向けて勾配がつけられている。すなわち、投入シュート９は、除塵機２から塵芥の破砕・押し潰し機構８側に延びる縁辺のうち一方の縁辺が他方の縁辺よりも低くなるようにその上面が傾斜している。
【００２８】
上記した構成によれば、除塵機２で搬送されてきた塵芥の中には、図３に示されるように、葦、木の小枝等の塵芥Ｄ１も存在し、更には、ガラス瓶等の異物Ｄ２、空き缶等の異物Ｄ３も混入している場合もあるところ、投入シュート９がベルトコンベヤー５からこれらの塵芥Ｄ１、異物Ｄ２、Ｄ３を受け取った際に、少なくとも空き缶等の異物Ｄ３は投入シュート９に横幅方向に勾配がつけられているので、投入シュート９から落下する。
【００２９】
また、ガラス瓶等の異物Ｄ２がローラー１０とローラー１１との間のスペースＳの入口まで達しても、当該ガラス瓶等の異物Ｄ２はスペースＳ内には入らず、投入シュート９の勾配を利用して或いはローラー１０の回転で弾かれることにより、投入シュート９から落下する。そして、この場合に、ガラス瓶等の異物Ｄ２が誤ってスペースＳ内に侵入するのを回避するためにスペースＳの寸法Ｌ１を最適化する作業は、支持部材２３の棒状部２１を回転してその寸法Ｌ２を調整するのみで足りる。
【００３０】
これに対し、異物Ｄ２、Ｄ３の選別、除去の結果、残った葦、木の小枝等の塵芥Ｄ１は、ローラー１０とローラー１１との間のスペースＳ内に入り、破砕され、又は押し潰されて、袋詰めに適した状態となる。そして、ローラー１０はバネ１６により被支持構造体１５から吊り下げられているので、葦、木の小枝等の塵芥Ｄ１を破砕し、或いは押し潰す際に、ローラー１０は、図３の白抜き矢印に示されるように上下動するので、葦、木の小枝等の塵芥Ｄ１を破砕し、或いは押し潰す効果が向上する。
【図面の簡単な説明】
【００３１】
【図１】図１は、この発明に係る塵芥処理装置及びこの塵芥処理装置が連結された除塵機の概略構成を示した斜視図である。
【図２】図２は、同上の塵芥処理装置及びこの塵芥処理装置が連結された除塵機の概略構成を示した側面図である。
【図３】図３は、図２から塵芥の破砕・押し潰し機構の構成を示すべくギア、チェーンベルト等を省略した状態を示した側面
【符号の説明】
【００３２】
１  塵芥処理装置
２  除塵機（その他の装置）
５  ベルトコンベヤー（搬送手段）
６  ギア（連動手段）
８  塵芥の破砕・押し潰し機構
９  投入シュート
１０  ローラー（第１のローラー）
１１  ローラー（第２のローラー）
１２  ギア（連動手段）
１３  チェーンベルト（連動手段）
１５  被支持構造体（第１の被支持部材）
１６  バネ（連結部材）
２３  支持部材
２５  台座（第２の被支持構造体）
Ｄ１  葦、木の小枝等の塵芥
Ｄ２  ガラス瓶等の異物
Ｄ３  空き缶等の異物
Ｓ  ２つのローラー間の空間
【図１】
2009095757.tif 000003
【図２】
2009095757.tif 000004
【図３】
2009095757.tif 000005